(57)【要約】【課題】画質改善回路を１つしかもたない構成でも、視聴映像または記録映像に対し任意に画質改善処理を行えるテレビジョン受信機の提供。【解決手段】ゴースト低減手段、３次元ＹＣ分離手段のいずれか一方または両方を備えた画質改善手段と、記録再生手段と、映像信号の伝送路を切換える切換え手段と、切換え手段を制御する制御手段とを備え、切換え手段により伝送路を切換えることで、画質改善処理手段または記録再生手段に対し特定の局の映像信号を入力状態または非入力状態にする。【選択図】  図１
2004201225.tif 000002
【特許請求の範囲】
【請求項１】
記録再生機能を備えたテレビジョン受信機であって、
選局された映像信号からゴースト波による歪を低減するゴースト低減手段と、フレームメモリを用いて映像信号を輝度信号と色信号とに分離する３次元ＹＣ分離手段とのいずれか一方または両方を備えた画質改善手段と、
映像信号を記録または再生する記録再生手段と、
上記画質改善手段及び上記記録再生手段を含む映像信号の伝送路を切換える切換え手段と、
該切換え手段を制御する制御手段と、
を備え、上記切換え手段の制御により上記伝送路を切換えることで、選局された複数局の映像信号のうち少なくとも１つの局の映像信号の、上記画質改善手段または上記記録再生手段に対する入力、非入力を選択可能にした構成を特徴とするテレビジョン受信機。
【請求項２】
記録再生機能を備えたテレビジョン受信機であって、
選局された映像信号からゴースト波による歪を低減するゴースト低減手段と、フレームメモリを用いて映像信号を輝度信号と色信号とに分離する３次元ＹＣ分離手段とのいずれか一方または両方を備えた画質改善手段と、
映像信号を記録または再生する記録再生手段と、
上記画質改善手段及び上記記録再生手段を含む映像信号の伝送路を切換える切換え手段と、
該切換え手段を制御する制御手段と、
を備え、上記切換え手段の制御により上記伝送路を切換えることで、選局された複数局の映像信号のうち視聴する第１の局の映像信号と記録する第２の映像信号の、上記画質改善手段に対する入力、非入力を選択可能にした構成を特徴とするテレビジョン受信機。
【請求項３】
記録再生機能を備えたテレビジョン受信機であって、
受信した映像信号を選局する選局手段と、
選局された映像信号からゴースト波による歪を低減するゴースト低減手段と、フレームメモリを用いて映像信号を輝度信号と色信号とに分離する３次元ＹＣ分離手段とのいずれか一方または両方を備えた画質改善手段と、
映像信号を記録または再生する記録再生手段と、
上記選局手段側に対する上記画質改善手段の接続状態、及び該画質改善手段側に対する上記記録再生手段の接続、非接続を切換える切換え手段と、
該切換え手段を制御可能な制御手段と、
を備え、上記切換え手段により、上記画質改善手段が上記選局手段側に対し、選局された複数局の映像信号のうち少なくとも１つの局の映像信号が入力されるように接続され、かつ、上記記録再生手段が該画質改善手段側に対し非接続状態とされたときは、該１つの局の映像信号が該画質改善手段においてゴースト波による歪の低減処理もしくは３次元ＹＣ分離処理のいずれか一方または両方が行われた後上記記録再生手段を経ずに表示部側に伝送される構成としたことを特徴とするテレビジョン受信機。
【請求項４】
記録再生機能を備えたテレビジョン受信機であって、
受信した映像信号を選局する選局手段と、
選局された映像信号からゴースト波による歪を低減するゴースト低減手段と、フレームメモリを用いて映像信号を輝度信号と色信号とに分離する３次元ＹＣ分離手段とのいずれか一方または両方を備えた画質改善手段と、
映像信号を記録または再生する記録再生手段と、
上記選局手段側に対する上記画質改善手段の接続状態、及び該画質改善手段側に対する上記記録再生手段の接続、非接続を切換える切換え手段と、
該切換え手段を制御可能な制御手段と、
を備え、上記切換え手段により、上記画質改善手段が上記選局手段側に対し、選局された複数局の映像信号のうち少なくとも１つの局の映像信号が入力されるように接続され、かつ、上記記録再生手段が該画質改善手段側に対し接続状態とされたときは、該１つの局の映像信号が、該画質改善手段においてゴースト波による歪の低減処理もしくは３次元ＹＣ分離処理のいずれか一方または両方が行われた後上記記録再生手段で記録される構成としたことを特徴とするテレビジョン受信機。
【請求項５】
記録再生機能を備えたテレビジョン受信機であって、
受信した映像信号を選局する選局手段と、
選局された映像信号からゴースト波による歪を低減するゴースト低減手段と、フレームメモリを用いて映像信号を輝度信号と色信号とに分離する３次元ＹＣ分離手段とのいずれか一方または両方を備えた画質改善手段と、
映像信号を記録または再生する記録再生手段と、
再生された映像信号のランダムノイズを低減するフレーム巡回型ノイズ低減手段と、
少なくとも、上記選局手段側に対する上記画質改善手段の接続状態、及び該画質改善手段側に対する上記記録再生手段の接続、非接続を切換える切換え手段と、
少なくとも該切換え手段を制御する制御手段と、
該制御手段に対しモード指示信号を送るモード指示手段と、
画面サイズ処理を含む映像信号の表示処理を行う映像表示処理手段と、
該映像表示処理手段からの出力に基づき映像表示を行う表示部と、
を備え、上記切換え手段により、上記画質改善手段が上記選局手段側に対し、選局された複数局の映像信号のうち少なくとも１つの局の映像信号が入力されるように接続され、かつ、上記記録再生手段が該画質改善手段側に対し接続状態とされたとき、該１つの局の映像信号が、該画質改善手段においてゴースト波による歪の低減処理もしくは３次元ＹＣ分離処理のいずれか一方または両方が行われた後上記記録再生手段で記録され、再生された映像信号が上記フレーム巡回型ノイズ低減手段でランダムノイズを低減され上記表示部に表示される構成としたことを特徴とするテレビジョン受信機。
【請求項６】
複数画面表示機能を備えたテレビジョン受信機であって、
受信した映像信号を選局する選局手段と、
選局された複数局の映像信号に基づく複数画面を表示部に同時表示するための信号処理を行う並列複数画面映像表示処理手段と、
上記複数画面のうちのいずれかにおいて音声を出力させる音声出力手段と、
選局された映像信号からゴースト波による歪を低減するゴースト低減手段と、フレームメモリを用いて映像信号を輝度信号と色信号とに分離する３次元ＹＣ分離手段とのいずれか一方または両方を備えた画質改善手段と、
上記選局手段側に対する上記画質改善手段の接続状態を切換える切換え手段と、
該切換え手段と上記音声出力手段を制御する制御手段と、
を備え、上記切換え手段及び上記音声出力手段の制御により、上記同時表示される複数画面のうち音声が出力される画面の映像信号が上記画質改善手段に入力され、該画質改善手段においてゴースト波による歪の低減処理もしくは３次元ＹＣ分離処理のいずれか一方または両方が行われた後表示部側に伝送される構成としたことを特徴とするテレビジョン受信機。
【請求項７】
記録再生機能を備えたテレビジョン受信機用の映像信号処理回路であって、
選局された映像信号からゴースト波による歪を低減するゴースト低減部と、フレームメモリを用いて映像信号を輝度信号と色信号とに分離する３次元ＹＣ分離部とのいずれか一方または両方を備えた画質改善回路と、
映像信号を記録または再生するための信号処理を行う記録再生回路と、
上記画質改善回路及び上記記録再生回路を含む映像信号の伝送路を切換える切換え部と、
該切換え手段を制御する制御回路と、
を備え、上記切換え部の制御により上記伝送路を切換えることで、選局された複数局の映像信号のうちの少なくとも１つの局の映像信号の、上記画質改善回路または上記記録再生回路に対する入力、非入力を選択可能にした構成を特徴とする映像信号処理回路。
【発明の詳細な説明】
【０００１】
【発明の属する技術分野】
本発明は、記録再生機能または複数画面表示機能を備えたテレビジョン受信機に関する。
【０００２】
【従来の技術】
本発明の画質改善技術に関連した従来技術としては、例えば、特開平１０−８４５５２号公報（特許文献１）、特開平６−１１３３２３号公報（特許文献２）及び特開２００１−２９２４２２号公報（特許文献３）に記載されたものがある。特開平１０−８４５５２号公報には、映像信号を折り返しノイズ成分またはクロマ成分の多く含まれる周波数帯域の内外に分離し、帯域外に対しては巡回型ノイズ低減を行い、帯域内に対しては非巡回型ノイズ低減を行う構成が記載されている。特開平６−１１３３２３号公報には、標準的な複合ビデオ信号のみならず非標準的な複合ビデオ信号が入力された場合にも、フレームメモリが有効動作する３次元ＹＣ分離技術として、フレーム間ＹＣ分離出力からローパスフィルタにより輝度信号のノイズ成分を抽出し、該ノイズ成分を入力ビデオ信号から減算することで、非標準的な複合ビデオ信号に対しても動き適応型のノイズ低減を行う構成が記載されている。また、特開２００１−２９２４２２号公報には、ハードディスクドライブ（以下、ＨＤＤという）を用いた映像再生装置技術として、現在受信中の映像と過去に記録した映像信号による再生映像とを切替えて表示可能な技術が記載されている。
従来の製品においても、３次元ＹＣ分離回路は１つの映像信号系にのみ固定的に設けられているのが一般的である。
さらに、本発明の複数画面表示に関連する従来技術としては、ワイドテレビなどの大画面テレビにおいて行われているように、１つの画面領域を左右に２分割し、該分割した画面領域の各々に例えば互いに異なる映像を表示する技術がある。
【０００３】
【特許文献１】
特開平１０−８４５５２号公報（段落番号００２６〜００３７、図１、図３）
【特許文献２】
特開平６−１１３３２３号公報（段落番号００１４〜００２４、図１）
【特許文献３】
特開２００１−２９２４２２号公報
【０００４】
【発明が解決しようとする課題】
上記各従来技術における、画質改善用回路、特に３次元ＹＣ分離回路は、特殊なフィルタやフレームメモリを多く使用して構成されコスト高となる。このため、従来のテレビジョン受信機では、映像信号系の１系統にしか備えられていない。しかも、記録再生機能を備えたテレビジョン受信機においても、画質改善処理を、現在視聴する番組または記録再生する番組のいずれか一方に固定して行う構成になっており、ユーザの要望に対応する切換えが不可能であった。また、複数画面表示においても、画質改善処理される画面が固定されていて、他の画面での画質改善処理を行おうとしてもこれができなかった。
本発明の課題点は、上記従来技術の状況に鑑み、テレビジョン受信機において、画質改善回路、特に３次元ＹＣ分離回路を例えば１つしかもたない構成であっても、視聴映像または記録映像に対し任意の切換えによって画質改善処理を行えるようにすること、また、並列複数画面表示においても、任意の画面に対し画質改善処理を行えるようにすること、である。
本発明の目的は、かかる課題点を解決できる技術の提供にある。
【０００５】
【課題を解決するための手段】
上記課題点を解決するために、本発明では、記録再生機能を備えるテレビジョン受信機を、基本的に、ゴースト波による歪を低減するゴースト低減手段、３次元ＹＣ分離手段のいずれか一方または両方を備えた画質改善手段と、映像信号の記録再生手段と、映像信号の伝送路を切換える切換え手段と、該切換え手段を制御する制御手段とを備え、切換え手段により伝送路を切換えて、画質改善処理手段または記録再生手段に対し選局した複数局の映像信号のうちから選択した映像信号を入力したり、非入力状態にしたりする構成とする。また、複数画面表示機能を備えたテレビジョン受信機としては、基本的に、複数画面を表示部に同時表示するための信号処理を行う並列複数画面映像表示処理手段と、表示される複数画面のうちのいずれか１つで音声を出力させる音声出力手段と、ゴースト低減手段、３次元ＹＣ分離手段のいずれか一方または両方を備えた画質改善手段と、画質改善手段の接続状態を切換える切換え手段と、切換え手段と音声出力手段を制御する制御手段とを備え、切換え手段及び音声出力手段の制御により、同時表示される複数画面のうち音声が出力される画面の映像信号を画質改善手段に入力し画質改善処理を施す構成とする。具体的には、記録再生機能を備えるテレビジョン受信機としては、（１）選局された映像信号からゴースト波による歪を低減するゴースト低減手段（該当実施例：符号１０５）と、フレームメモリを用いて映像信号を輝度信号と色信号とに分離する３次元ＹＣ分離手段（該当実施例：符号１０８、１１０）とのいずれか一方または両方を備えた画質改善手段（該当実施例：符号１０５、１０８、１１０、１１２、１１３）と、映像信号を記録または再生する記録再生手段（該当実施例：符号１１６）と、上記画質改善手段及び上記記録再生手段を含む映像信号の伝送路を切換える切換え手段（該当実施例：符号１０４、１０６、１０７、１００１、１００２、１０９、１１１、１１４、１１５、１００３、１００４、１１７、１１８、１１９、１２３）と、該切換え手段を制御する制御手段（該当実施例：符号１３２）とを備え、上記切換え手段の制御により上記伝送路を切換えることで、選局された複数局の映像信号のうち少なくとも１つの局の映像信号の、上記画質改善手段または上記記録再生手段に対する入力、非入力を選択可能にした構成とする。（２）選局された映像信号からゴースト波による歪を低減するゴースト低減手段（該当実施例：符号１０５）と、フレームメモリを用いて映像信号を輝度信号と色信号とに分離する３次元ＹＣ分離手段（該当実施例：符号１０８、１１０）とのいずれか一方または両方を備えた画質改善手段（該当実施例：符号１０５、１０８、１１０、１１２、１１３）と、映像信号を記録または再生する記録再生手段（該当実施例：符号１１６）と、上記画質改善手段及び上記記録再生手段を含む映像信号の伝送路を切換える切換え手段（該当実施例：符号１０４、１０６、１０７、１００１、１００２、１０９、１１１、１１４、１１５、１００３、１００４、１１７、１１８、１１９、１２３）と、該切換え手段を制御する制御手段（該当実施例：符号１３２）とを備え、上記切換え手段の制御により上記伝送路を切換えることで、選局された複数局の映像信号のうち視聴する第１の局の映像信号と記録する第２の映像信号の、上記画質改善手段に対する入力、非入力を選択可能にした構成とする。（３）受信した映像信号を選局する選局手段（該当実施例：符号１０２、１０３）と、選局された映像信号からゴースト波による歪を低減するゴースト低減手段（該当実施例：符号１０５）と、フレームメモリを用いて映像信号を輝度信号と色信号とに分離する３次元ＹＣ分離手段（該当実施例：符号１０８、１１０）とのいずれか一方または両方を備えた画質改善手段（該当実施例：符号１０５、１０８、１１０、１１２、１１３）と、映像信号を記録または再生する記録再生手段（該当実施例：符号１１６）と、上記選局手段側に対する上記画質改善手段の接続状態、及び該画質改善手段側に対する上記記録再生手段の接続、非接続を切換える切換え手段（該当実施例：符号１０４、１０６、１０７、１００１、１００２、１０９、１１１、１１４、１１５）と、該切換え手段を制御可能な制御手段（該当実施例：符号１３２）とを備え、上記切換え手段により、上記画質改善手段が上記選局手段側に対し、選局された複数局の映像信号のうち少なくとも１つの局の映像信号が入力されるように接続され、かつ、上記記録再生手段が該画質改善手段側に対し非接続状態とされたときは、該１つの局の映像信号が該画質改善手段においてゴースト波による歪の低減処理もしくは３次元ＹＣ分離処理のいずれか一方または両方が行われた後上記記録再生手段を経ずに表示部側に伝送される構成とする。（４）受信した映像信号を選局する選局手段（該当実施例：符号１０２、１０３）と、選局された映像信号からゴースト波による歪を低減するゴースト低減手段（該当実施例：符号１０５）と、フレームメモリを用いて映像信号を輝度信号と色信号とに分離する３次元ＹＣ分離手段（該当実施例：符号１０８、１１０）とのいずれか一方または両方を備えた画質改善手段（該当実施例：符号１０５、１０８、１１０、１１２、１１３）と、映像信号を記録または再生する記録再生手段（該当実施例：符号１１６）と、上記選局手段側に対する上記画質改善手段の接続状態、及び該画質改善手段側に対する上記記録再生手段の接続、非接続を切換える切換え手段（該当実施例：符号１０４、１０６、１０７、１００１、１００２、１０９、１１１、１１４、１１５）と、該切換え手段を制御可能な制御手段（該当実施例：符号１３２）とを備え、上記切換え手段により、上記画質改善手段が上記選局手段側に対し、選局された複数局の映像信号のうち少なくとも１つの局の映像信号が入力されるように接続され、かつ、上記記録再生手段が該画質改善手段側に対し接続状態とされたときは、該１つの局の映像信号が、該画質改善手段においてゴースト波による歪の低減処理もしくは３次元ＹＣ分離処理のいずれか一方または両方が行われた後上記記録再生手段で記録される構成とする。（５）受信した映像信号を選局する選局手段（該当実施例：符号１０２、１０３）と、選局された映像信号からゴースト波による歪を低減するゴースト低減手段（該当実施例：符号１０５）と、フレームメモリを用いて映像信号を輝度信号と色信号とに分離する３次元ＹＣ分離手段（該当実施例：符号１０８、１１０）とのいずれか一方または両方を備えた画質改善手段（該当実施例：符号１０５、１０８、１１０、１１２、１１３）と、映像信号を記録または再生する記録再生手段（該当実施例：符号１１６）と、再生された映像信号のランダムノイズを低減するフレーム巡回型ノイズ低減手段（該当実施例：符号１１０、１１２）と、上記選局手段側に対する上記画質改善手段の接続状態、及び該画質改善手段側に対する上記記録再生手段の接続、非接続を切換える切換え手段（該当実施例：符号１０４、１０６、１０７、１００１、１００２、１０９、１１１、１１４、１１５）と、少なくとも該切換え手段を制御する制御手段（該当実施例：符号１３２）と、該制御手段に対しモード指示信号を送るモード指示手段（該当実施例：符号１３０）と、画面サイズ処理を含む映像信号の表示処理を行う映像表示処理手段（該当実施例：符号１２０）と、該映像表示処理手段からの出力に基づき映像表示を行う表示部（該当実施例：符号１２２）とを備え、上記切換え手段により、上記画質改善手段が上記選局手段側に対し、選局された複数局の映像信号のうち少なくとも１つの局の映像信号が入力されるように接続され、かつ、上記記録再生手段が該画質改善手段側に対し接続状態とされたとき、該１つの局の映像信号が、該画質改善手段においてゴースト波による歪の低減処理もしくは３次元ＹＣ分離処理のいずれか一方または両方が行われた後上記記録再生手段で記録され、再生された映像信号が上記フレーム巡回型ノイズ低減手段でランダムノイズを低減され上記表示部に表示される構成とする。また、複数画面表示機能を備えたテレビジョン受信機として、（６）受信した映像信号を選局する選局手段（該当実施例：符号１０２、１０３）と、選局された複数局の映像信号に基づく複数画面を表示部に同時表示するための信号処理を行う並列複数画面映像表示処理手段と、上記複数画面のうちのいずれかにおいて音声を出力させる音声出力手段と、選局された映像信号からゴースト波による歪を低減するゴースト低減手段（該当実施例：符号１０５）と、フレームメモリを用いて映像信号を輝度信号と色信号とに分離する３次元ＹＣ分離手段とのいずれか一方または両方を備えた画質改善手段（該当実施例：符号１０５、１０８、１１０、１１２、１１３）と、上記選局手段側に対する上記画質改善手段の接続状態を切換える切換え手段（該当実施例：符号１０４、１０６、１０７、１００１、１００２、１０９、１１１）と、該切換え手段と上記音声出力手段を制御する制御手段（該当実施例：符号１３２）とを備え、上記切換え手段及び上記音声出力手段の制御により、上記同時表示される複数画面のうち音声が出力される画面の映像信号が上記画質改善手段に入力され、該画質改善手段においてゴースト波による歪の低減処理もしくは３次元ＹＣ分離処理のいずれか一方または両方が行われた後表示部側に伝送される構成とする。さらに、記録再生機能を備えたテレビジョン受信機用の映像信号処理回路として、（７）選局された映像信号からゴースト波による歪を低減するゴースト低減部（該当実施例：符号１０５）と、フレームメモリを用いて映像信号を輝度信号と色信号とに分離する３次元ＹＣ分離部（該当実施例：符号１０８、１１０）とのいずれか一方または両方を備えた画質改善回路（該当実施例：符号１０５、１０８、１１０、１１２、１１３）と、映像信号を記録または再生するための信号処理を行う記録再生回路（該当実施例：符号１１６）と、上記画質改善回路及び上記記録再生回路を含む映像信号の伝送路を切換える切換え部（該当実施例：符号１０４、１０６、１０７、１００１、１００２、１０９、１１１、１１４、１１５、１００３、１００４、１１７、１１８、１１９、１２３）と、該切換え手段を制御する制御回路（該当実施例：符号１３２）とを備え、上記切換え部の制御により上記伝送路を切換えることで、選局された複数局の映像信号のうちの少なくとも１つの局の映像信号の、上記画質改善回路または上記記録再生回路に対する入力、非入力を選択可能にした構成とする。
【０００６】
【発明の実施の形態】
以下、本発明の実施例につき、図面を用いて説明する。
図１は、本発明の実施例としてのテレビジョン受信機の構成例を示す図である。
図１において、１０１はアンテナ、１０２は選局手段としての第１のチューナ、１０３は同じく第２のチューナ、１０４、１０６、１０７、１００１、１００２、１０９、１１１、１１４、１１５、１００３、１００４、１１７、１１８、１１９、１２３は切換え手段としての切換え回路、１０５はゴースト低減手段としてのゴースト低減回路、１０８は３次元ＹＣ分離手段としての３次元ＹＣ分離回路、１１０は同じくフレームメモリ、１１２は巡回型ノイズリデューサ（以下、巡回型ＮＲ回路という）、１１３は２次元ＹＣ分離回路、１１６は記録再生手段としてのハードディスクレコーダ、１２０は映像表示処理手段、１２２は表示部、１３０は操作用のモード指示手段としてのリモコン、１３１はリモコン受光部、１３２は制御手段としてのマイコン（マイクロコンピュータ）、１２４は音声処理回路、１２６、１２７はスピーカー、１２８はＳビデオ入力端子である。かかる構成において、アンテナ１０１を介して入力された、例えばＮＴＳＣ規格のテレビジョン信号は、第１のチューナ１０２及び第２のチューナ１０３に入力される。第１のチューナ１０２及び第２のチューナ１０３では、受信したい所望のテレビ放送番組が選局され、放送番組の複合映像信号と音声信号（以下、複合映像・音声信号という）が出力される。本構成では、第１のチューナ１０２及び第２のチューナ１０３におけるテレビ放送番組の選局（チャンネルの選局）はリモコン１３０により行われる。リモコン１３０では、チャンネル選局の指示の他、電源の投入・切断、ハードディスクレコーダ１１６における録画、再生、停止等の指示操作を行う。該リモコン１３０においては、必要な指示操作をコマンド信号に変換し、該コマンド信号を赤外線に変調して出力する。この変調信号はリモコン受光部１３１に入力され、リモコン受光部１３１はこの変調信号から操作コマンド信号を再生する。この再生されたコマンド信号は、制御手段としてのマイクロコンピュータ（以下、マイコンという）１３２へ入力される。マイコン１３２はテレビジョン受信機内の各ブロックを制御する。マイコン１３２からの制御に基づき、第１のチューナ１０２で選局された複合映像・音声信号は、切換え回路１０４の入力端子Ａと切換え回路１０６の入力端子Ａとに入力される。また、マイコン１３２からの制御に基づき、第２のチューナ１０３で選局された複合映像・音声信号は、切換え回路１０４の入力端子Ｂと切換え回路１０７の入力端子Ｂとに入力される。
【０００７】
切換え回路１０４では、第１のチューナ１０２から出力される複合映像・音声信号、または第２のチューナ１０３から出力される複合映像・音声信号のいずれか一方が選択されて出力される。該切換え回路１０４の選択制御はマイコン１３２により行われる。切換え回路１０４から出力された複合映像・音声信号はゴースト低減回路１０５に入力される。ゴースト低減回路１０５においては、複合映像信号からゴースト成分が検出され低減化される。音声信号は該ゴースト低減回路１０５においては信号処理されずに出力される。ゴースト低減回路１０５から出力される複合映像・音声信号は、切換え回路１０６の入力端子Ｂと切換え回路１０７の入力端子Ａとに入力される。
切換え回路１０６では、第１のチューナ１０２から出力された複合映像・音声信号、またはゴースト低減回路１０５から出力された複合映像・音声信号のいずれか一方が選択されて出力される。該切換え回路１０６の選択制御もマイコン１３２により行われる。切換え回路１０６から出力された複合映像・音声信号は、切換え回路１００１の入力端子Ａと切換え回路１００２の入力端子Ａとにそれぞれ入力される。
【０００８】
切換え回路１０７では、第２のチューナ１０２から出力された複合映像・音声信号またはゴースト低減回路１０５から出力された複合映像・音声信号のいずれか一方が選択されて出力される。該切換え回路１０７の選択制御もマイコン１３２により行われる。切換え回路１０７から出力された複合映像・音声信号は、切換え回路１００１の入力端子Ｂと切換え回路１００２の入力端子Ｂとにそれぞれ入力される。切換え回路１００１と切換え回路１００２ではそれぞれ、入力端子Ａには切換え回路１０６の出力が、また、入力端子Ｂには切換え回路１０７の出力が入力されるが、切換動作は逆となるようにマイコン１３２で制御される。すなわち、切換え回路１００１で入力端子Ａが選択された場合は、切換え回路１００２では入力端子Ｂが選択される。切換え回路１００１と切換え回路１００２は、第１のチューナ１０２と第２のチューナ１０３のうち任意に選択されたいずれか一方のチューナにおける放送番組の複合映像・音声信号に対し、１系統の３次元ＹＣ分離回路１０８で３次元ＹＣ分離処理を行えるようにするための切換え回路である。通常の状態では、切換え回路１００１では入力端子Ａが、切換え回路１００２では入力端子Ｂが選択されるようになっている。
【０００９】
切換え回路１００２の出力は２次元ＹＣ分離回路１１３に入力される。２次元ＹＣ分離回路１１３では、ライメモリ等の遅延回路（図示なし）から構成された回路により復号映像信号を輝度信号と色信号とに分離する。音声信号は該２次元ＹＣ分離回路１１３では信号処理されない。
切換え回路１００１から出力された複合映像・音声信号は、３次元ＹＣ分離回路１０８に入力される。また、切換え回路１０９の入力端子Ａには切換え回路１００１から出力される複合映像が入力される。切換え回路１０９の入力端子Ｂには、巡回型ノイズリデューサ回路（以下、巡回型ＮＲ回路という）１１２から出力される輝度信号と色信号とが入力される。切換え回路１０９では、入力端子Ａまたは入力端子Ｂのいずれか一方が選択されて出力される。該切換え回路１０９の選択制御もマイコン１３２により行われる。
【００１０】
３次元ＹＣ分離回路１０８は、切換え回路１０９が入力端子Ａを選択する場合に有効に作用する。切換え回路１００１から出力された複合映像信号は、切換え回路１０９の入力端子Ａより選択されて出力され、フレームメモリ１１０に入力される。フレームメモリ１１０では、複合映像信号を１フレーム遅延させた複合映像信号として出力する。フレームメモリ１１０から出力された複合映像信号は３次元ＹＣ分離回路１０８に入力される。３次元ＹＣ分離回路１０８では、切換え回路１００１から出力された複合映像信号と、フレームメモリ１１０から出力された１フレーム遅延した複合映像信号とからクロスカラー妨害やドット妨害のない高画質な輝度信号と色信号とが分離されて出力される。音声信号は３次元ＹＣ分離回路１０８では信号処理されない。３次元ＹＣ分離回路１０８から出力された輝度信号と色信号と音声信号（以下、輝度・色・音声信号という）は、切換え回路１１４の入力端子Ａに入力される。
【００１１】
一方、Ｓビデオ入力端子１２８より入力された輝度信号と色信号と音声信号（以下、Ｓビデオ信号という）は、切換え回路１１１の入力端子Ａに入力される。該Ｓビデオ入力端子１２８は、例えばＶＴＲやＤＶＤプレーヤー等の外部ビデオ機器のＳビデオ出力端子に接続される。切換え回路１１１の入力端子Ｂには、ハードディスクレコーダ１１６より再生された出力信号である輝度・色・音声信号が入力される。該切換え回路１１１においては、入力端子Ａまたは入力端子Ｂから入力された輝度信号、色信号、音声信号のいずれかが選択されて出力される。切換え回路１１１の選択制御もマイコン１３２により行われる。
【００１２】
切換え回路１１１から出力される輝度・色・音声信号は、巡回型ＮＲ回路１１２に入力される。本実施例構成においては、ランダムノイズを低減するための巡回型ノイズ低減回路は、巡回型ＮＲ回路１１２と、該巡回型ＮＲ回路１１２の出力が切換え回路１０９を介して入力され１フレーム遅延した出力を巡回型ＮＲ回路１１２に出力するフレームメモリ１１０とから構成される。巡回型ＮＲ回路１１２は例えば、特開平１０−８４５５２号公報中の図６に記載の構成を有するものとする。巡回型ＮＲ回路１１２は、輝度・色信号に含まれる低域から高域までの周波数のノイズを低減して出力する。該出力としての輝度信号及び色信号は、切換え回路１０９の入力端子Ｂに入力される。切換え回路１１１がマイコン１３２により選択制御され、該切換え回路１１１から出力されたＳビデオ入力端子１２８からの輝度信号及び色信号、またはハードディスクレコーダ１１６で再生された輝度信号及び色信号は、フレームメモリ１１０に入力される。巡回型ＮＲ回路１１２に入力される輝度信号と、フレームメモリ１１０から出力される１フレーム遅延した輝度信号との差分から、巡回型ＮＲ回路１１２内部でのフレーム間演算によりノイズ成分が抽出され、該ノイズ成分のゲインを下げたノイズ成分を入力の輝度信号から差し引くことにより、ノイズ低減された輝度信号が出力される。該ノイズ低減された輝度信号は、フレームメモリ１１０に入力される。次のフレーム間演算においては、前回ノイズ低減された後のデータと比較されるため、徐々にノイズ低減量が増す。これを繰り返すことにより、最終的にはノイズ低減された輝度信号が出力される。また、色信号についても同様である。音声信号は巡回型ＮＲ回路１１２内では信号処理されない。巡回型ＮＲ回路１１２から出力された輝度・色・音声信号は、切換え回路１１４の入力端子Ｂと切換え回路１１７の入力端子Ｂとに入力される。本実施例構成においては、上記のように、フレームメモリ１１０は、３次元ＹＣ分離回路１０８と組合せて３次元ＹＣ分離機能部を構成した場合は複合映像信号を１フレーム遅延させ、巡回型ＮＲ回路１１２と組合せて輝度信号と色信号のノイズ低減回路を構成した場合は該輝度信号、該色信号それぞれを１フレーム遅延させる。
【００１３】
切換え回路１１４から出力された輝度・色・音声信号は、切換え回路１１５、切換え回路１００３及び切換え回路１００４それぞれの入力端子Ａに入力される。また、２次元ＹＣ分離回路１１３から出力された輝度・色・音声信号は、切換え回路１１５、切換え回路１００３及び切換え回路１００４それぞれの入力端子Ｂに入力される。切換え回路１１４、切換え回路１１５、切換え回路１１７、切換え回路１００３、切換え回路１００４における選択制御もマイコン１３２により行われる。
【００１４】
切換え回路１００３及び切換え回路１００４は、第１のチューナ１０２で選局された局の放送番組の映像信号と、第２のチューナ１０３で選局された局の放送番組の映像信号と、ハードディスクレコーダ１１６で再生された映像信号のうちの２つの映像を表示部１２２に２画面表示する際、少なくとも１系統の画質改善回路で画質改善処理がなされた所望の放送番組の映像信号、または１系統の２次元ＹＣ分離された所望の放送番組の映像信号を、表示部１２２の画面のうち一方の側に表示させるように切換える。切換え回路１００３と切換え回路１００４の切換動作は、切換え回路１００１と切換え回路１００２の場合と同様に、互いに逆となるようにマイコン１３２で制御される。通常は、切換え回路１００３では入力端子Ａが、切換え回路１００４では入力端子Ｂが選択される。
【００１５】
切換え回路１１５では、切換え回路１１４から出力される輝度・色・音声信号かまたは２次元ＹＣ分離回路１１３から出力される輝度・色・音声信号のいずれか一方が選択され、選択された出力信号はハードディスクレコーダ１１６に入力される。ハードディスクレコーダ１１６では、入力された輝度・色・音声信号は、ハードディスクレコーダ１１６内のＡＤ変換器（図示なし）によりＡＤ変換されデジタル信号に変換される。該デジタル信号は、同じくハードディスクレコーダ１１６内でＭＰＥＧ符号化処理回路（図示なし）によりデジタル圧縮データに変換され、該圧縮データがファイルとしてハードディスクドライブ（ＨＤＤ）（図示なし）に書き込まれる。ハードディスクレコーダ１１６内におけるかかる録画動作は、マイコン１３２からの録画命令に基づき実行される。同様に、ハードディスクレコーダ１１６の再生動作も、マイコン１３２からの再生制御命令に基づき行われる。マイコン１３２からの再生制御命令を受けると、ハードディスクレコーダ１１６は、ＨＤＤからファイルを読み出してＭＰＥＧ復号化を行い、輝度・色・音声信号を再生して出力する。その他、ハードディスクレコーダ１１６の一般的な停止動作や、巻き戻し動作や、早送り等の特殊再生動作や、一時停止動作などの命令もすべてマイコン１３２から出される。ハードディスクレコーダ１１６で再生された輝度・色・音声信号は、切換え回路１１７の入力端子Ａと切換え回路１１１の入力端子Ｂとにそれぞれ入力される。切換え回路１１７では、ハードディスクレコーダ１１６で再生された信号かまたは巡回型ＮＲ回路１１２から出力される信号かのいずれか一方が選択され、該選択された信号は、切換え回路１１８の入力端子Ｂと切換え回路１１９の入力端子Ａとにそれぞれ入力される。
【００１６】
切換え回路１１８では、切換え回路１００３から出力された輝度・色・音声信号と、切換え回路１１７から出力された度・色・音声信号とが切換えられる。切換え回路１１８から出力される輝度信号及び色信号は、映像表示処理回路１２０の一方の映像入力系統に入力され、音声信号は切換え回路１２３の入力端子Ａに入力される。同様に、切換え回路１１９では、切換え回路１００４から出力された輝度・色・音声信号と、切換え回路１１７から出力された輝度・色・音声信号とが切換えられる。切換え回路１１９から出力される輝度信号及び色信号は映像表示処理回路１２０の他方の映像入力系統に入力され、音声信号は切換え回路１２３の入力端子Ｂに入力される。
【００１７】
上記のように、映像入力系統を２系統備えた映像表示処理回路１２０では、入力された２系統の輝度信号及び色信号のうちいずれか一方または両方が選択される。入力された輝度信号及び色信号はそれぞれ、映像表示処理回路１２０内において、画面サイズの拡大や縮小等のスケーリング処理や２画面表示処理等の映像信号処理がされた後、映像出力端子１２１から出力され表示部１２２側に入力される。スケーリング処理では、後段水平方向と垂直方向の画素数や水平同期信号や垂直同期信号が生成される。映像表示処理回路１２０における２画面表示処理等の制御の選択は、リモコン１３０からの指示操作に基づき、マイコン１３２により制御される。一方、音声信号については、切換え回路１１８から出力される音声信号は切換え回路１２３の入力端子Ａに入力され、切換え回路１１９から出力される音声信号は切換え回路１２３の入力端子Ｂに入力される。切換え回路１２３から出力される音声信号は音声処理回路１２４に入力され、該音声処理回路１２４で音声信号処理が行われた後、音声出力端子１２５から出力され、ステレオスピーカーであるＲスピーカー１２６とＬスピーカー１２７より音声として出力される。
【００１８】
以下、図１の実施例構成における主要部の動作につき説明する。
図２〜図９は、図１のテレビジョン受信機の動作の説明図である。図２は裏番組を録画する場合としない場合の動作例のフローを示す図、図３は、設定された各モードの動作を行わせる場合における各切換え回路の端子接続の説明図、図４は、ハードディスクレコーダ１１６により再生した映像信号から、巡回型ノイズ低減回路によりランダムノイズを低減する場合の、各切換え回路の端子接続の説明図、図５は、同場合における画面切換えの説明図、図６は、第１のチューナ１０２による放送中の映像と、ハードディスクレコーダ１１６による再生映像とを２画面表示する場合における各切換え回路の端子接続の説明図、図７は、同場合における画面表示例を示す図、図８は、第１のチューナ１０２で選局した放送中の映像と、第２のチューナ１０３で選局した放送中の映像とを２画面表示する場合における各切換え回路の端子接続の説明図、図９は、同場合における画面表示例を示す図である。
【００１９】
図２において、ユーザが放送番組を視聴中あるいは視聴していない状態、録画中あるいは録画中でないかにより７つのモード（モード１〜７）に区分している。設定１の処理では、モード１〜モード３の動作を行い、設定２の処理ではモード４の動作を行い、設定３の処理ではモード５の動作を行い、設定４の処理ではモード６の動作を行い、設定５の処理ではモード７の動作を行う。各モードにおける各切換え回路の端子接続状態は図３に示す通りとなる。図２において、まず、ステップＳ２０１で裏番組録画か否かを判定する。裏番組録画でなければ、視聴中番組を録画するモード１と、視聴しないで録画するモード２と、視聴のみを行い録画はしないモード３とに区分し、図１実施例構成における各切換え回路の端子接続を、マイコン１３２による制御により、図３中の設定１の状態に制御する。ステップＳ２０１で裏番組録画と判定されれば、ステップＳ２０２で録画を画質改善された状態で行う録画画質優先モードか否かを判定する。録画画質優先モードであれば、録画対象の放送番組映像をゴースト低減回路１０５と３次元ＹＣ分離回路１０８の両方によって画質改善するモード４と、３次元ＹＣ分離回路のみで画質改善するモード５とに区分し、モード４では図１の実施例構成における各切換え回路の端子接続を設定２の状態に設定し、モード５では該各切換え回路を設定３の状態に設定する。ステップＳ２０２において、録画画質優先モードでなく視聴を画質改善された状態で行う視聴画質優先モードであれば、視聴対象の放送番組映像をゴースト低減回路１０５と３次元ＹＣ分離回路１０８の両方により画質改善するモード６と、３次元ＹＣ分離回路のみで画質改善するモード７とに区分し、モード６では図１の構成における各切換え回路の端子接続を設定４の状態に設定し、モード７では該各切換え回路の端子接続を設定５の状態に設定する。
【００２０】
図３において、各処理（設定１〜設定５）は、マイコン１３２により制御する各切換え回路１０４、１０６、１００１、１０９、１１４、１０７、１００２、１１１、１１５、１１７、１００３、１１８、１００４、１１９、１２３の切換状態を示す。図中、Ａ、Ｂはそれぞれ、各切換え回路の入力端子Ａ、入力端子Ｂのうち選択される入力端子を示し、＊印は、入力端子Ａ、Ｂのいずれを選択してもよいことを示す。
以下、各モードにつき説明する。
モード１は、放送番組視聴中に視聴している放送番組を録画する場合である。この場合は、設定１に示すように、図１の構成における各切換え回路の入力端子が切換えられ、第１のチューナ１０２で選局された放送番組の複合映像・音声信号が、表示部１２２及びハードディスクレコーダ１１６に入力されるまでに、ゴースト低減回路１０５と３次元ＹＣ分離回路１０８を通る。このため、視聴放送番組のゴースト歪みが低減され、かつ、３次元ＹＣ分離が行われ、画質改善された状態の分離された輝度・色信号による映像が表示部１２２に表示され、同時に、ハードディスクレコーダ１１６で記録される。ハードディスクレコーダ１１６は、録画しながら同時に再生も可能な構成を備えるものとする。録画しながら再生映像を視聴する場合は、設定１の切換え回路の状態から、切換え回路１１７を入力端子Ａ側に切換え、切換え回路１１８を入力端子Ｂ側に切換えて、ハードディスクレコーダ１１６の再生映像信号を映像表示処理回路１２０に入力し、再生音声信号を音声処理回路１２４に入力する。
【００２１】
モード２は、番組は視聴しないで録画などを行う場合、つまり番組の留守録画等の場合である。モード２の場合は、設定１に示すように、図１の構成における各切換え回路の入力端子が切換えられ、第１のチューナ１０２で選局された放送番組の複合映像・音声信号がハードディスクレコーダ１１６に入力されるまでに、ゴースト低減回路１０５と３次元ＹＣ分離回路１０８を通る。このため、視聴放送番組のゴースト歪みが低減され、かつ、３次元ＹＣ分離が行われて、画質改善された状態で分離された輝度・色信号がハードディスクレコーダ１１６に入力されて記録される。
【００２２】
モード３は、録画は行わずに番組を視聴する場合である。この場合は、設定１に示すように、図１の構成における各切換え回路の入力端子が切換えられ、第１のチューナ１０２で選局された放送番組の複合映像・音声信号が表示部１２２に入力されるまでに、ゴースト低減回路１０５と３次元ＹＣ分離回路１０８を通る。このため、視聴放送番組のゴースト歪みが低減され、かつ、３次元ＹＣ分離が行われて、画質改善された状態で分離された輝度・色信号が表示部１２２に表示される。
【００２３】
モード４からモード７までは視聴放送番組と録画放送番組が異なる場合のモードである。以下、説明を容易とするため、３次元ＹＣ分離処理を行う放送番組を選局するチューナを第１のチューナ１０２として説明する。
モード４では、設定２に示すように各切換え回路の入力端子が切換えられ、第１のチューナ１０２で選局された放送番組の複合映像・音声信号は表示部１２２に入力されるまでに２次元ＹＣ分離回路１１３を通り、第２のチューナ１０３で選局された録画用の放送番組の複合映像・音声信号はハードディスクレコーダ１１６に入力されるまでにゴースト低減回路１０５と３次元ＹＣ分離回路１０８を通る。このため、視聴放送番組の複合映像・音声信号は２次元ＹＣ分離されて表示部１２２に表示され、また、録画放送番組の複合映像・音声信号はゴースト低減処理と３次元ＹＣ分離処理による画質改善がなされる。
【００２４】
モード５では、設定３に示すように各切換え回路の入力端子が切換えられ、第１のチューナ１０２で選局された録画用の放送番組の複合映像・音声信号はハードディスクレコーダ１１６に入力されるまでに３次元ＹＣ分離回路１０８を通り、第２のチューナ１０３で選局された放送番組の複合映像・音声信号は表示部１２２に入力されるまでにゴースト低減回路１０５と２次元ＹＣ分離回路１１３を通る。このため、録画放送番組の複合映像・音声信号は３次元ＹＣ分離処理され、視聴放送番組の複合映像・音声信号はゴースト低減処理と２次元ＹＣ分離処理がなされる。
モード６では、設定４に示すように各切換え回路の入力端子が切り換えられ、第１のチューナ１０２で選局された放送番組の複合映像・音声信号は表示部１２２に入力されるまでにゴースト低減回路１０５と３次元ＹＣ分離回路１０８を通り、第２のチューナ１０３で選局された録画用の放送番組の複合映像・音声信号はハードディスクレコーダ１１６に入力されるまでに２次元ＹＣ分離回路１１３を通る。このため、視聴放送番組の複合映像・音声信号はゴースト低減処理と３次元ＹＣ分離処理とが行われ、録画放送番組の複合映像・音声信号は２次元ＹＣ分離処理がなされる。
モード７では、設定５に示すように各切換え回路の入力端子が切換えられ、第１のチューナ１０２で選局された放送番組の複合映像・音声信号は表示部１２２に入力されるまでに３次元ＹＣ分離回路１０８を通り、第２のチューナ１０３で選局された録画用の放送番組の複合映像・音声信号はハードディスクレコーダ１１６に入力されるまでにゴースト低減回路１０５と２次元ＹＣ分離回路１１３を通る。このため、視聴放送番組の複合映像・音声信号は３次元ＹＣ分離処理され、録画放送番組の複合映像・音声信号はゴースト低減処理と２次元ＹＣ分離処理とがなされる。
【００２５】
ここで、モード４とモード５、モード６とモード７では、視聴する放送番組と録画する放送番組のどちらにゴースト低減を行うのかをモードで固定したが、ゴースト低減回路１０５ではゴースト波の数や大きさを検出することができるため、ゴーストの有無によって視聴放送番組と録画放送番組のどちらで使用するかをマイコン１３２に判断させ、該マイコン１３２で、切換え回路１０４、切換え回路１０６、切換え回路１０７、切換え回路１００１及び切換え回路１００２を制御して切換えるようにしてもよい。音声信号については、特別な信号処理がなされず、表示部１２２の画面に表示する放送番組映像に対応する音声をＲスピーカー１２６、Ｌスピーカー１２７より音声に変換されて出力される。ハードディスクレコーダ１１６に映像信号（輝度信号、色信号）を記録する際には、当然、映像に対応した音声信号が記録される。
【００２６】
図４及び図５は、ハードディスクレコーダ１１６により再生中の映像信号に対し、巡回型ＮＲ回路１１２とフレームメモリ１１０との組合せを用いてランダムノイズを低減する場合の動作説明図である。ここでは、第１のチューナ１０２で受信した放送番組の映像信号に対し、ゴースト低減処理と３次元ＹＣ分離処理とを行い画質改善された状態で表示部１２２に表示し視聴していた場合（図５（ａ）の画面５０１に示す画面）から、表示を切換えて、ランダムノイズが低減された状態のハードディスクレコーダ１１６の再生出力を視聴する場合（図５（ｂ）の画面５０２に示す画面）にする場合の例につき述べる。
【００２７】
放送番組を表示部１２２にて表示して視聴する際は、図４のモード８に示す設定６のように、各切換え回路の入力端子が切換えられ、第１のチューナ１０２の放送番組の複合映像・音声信号はゴースト低減処理と３次元ＹＣ分離処理が行われて、画質改善された放送番組を視聴する。ユーザがリモコン１３０による再生操作を行うことで、マイコン１３２はハードディスクレコーダ１１６に再生命令を送り、同時に、図４の設定７に示すように、各切換え回路の入力端子を切換え、切換え回路１１１と切換え回路１０９はそれぞれ入力端子Ｂ側に切換えて、ハードディスクレコーダ１１６からの再生出力を、巡回型ＮＲ回路１１２とフレームメモリ１１０とから成る巡回型ノイズ低減回路に導き、ここでノイズ低減された出力をさらに、切換え回路１１７、１１８を通して映像表示処理回路１２０に入力し、さらに表示部１２２に送って映像表示する。
【００２８】
ランダムノイズを低減する巡回型ノイズ低減回路は、巡回型ＮＲ回路１１２と、巡回型ＮＲ回路１１２の出力が切換え回路１０９を介して入力され１フレーム遅延した出力を巡回型ＮＲ回路１１２に出力するフレームメモリ１１０とで構成され、設定７のように各切換え回路を設定することにより、ハードディスクレコーダ１１６からの再生信号を低域から高域までのランダムノイズを低減した映像を表示部１２２で表示可能にする。このため、前述のモード１またはモード２による設定により放送番組映像のゴーストを低減し、さらに３次元ＹＣ分離処理によりクロスカラー妨害やドット妨害がない状態に画質改善された輝度信号と色信号をハードディスクレコーダ１１６に録画していた場合には、ゴースト低減処理と３次元ＹＣ分離処理による画質改善に加え、さらに、ランダムノイズ低減による画質改善も可能となる。
【００２９】
このように、受信中の放送番組に対して直接同時には３次元ＹＣ分離機能とフレーム巡回型ノイズ低減機能を使用することはできないが、録画した映像信号に対しては、再生時にフレーム巡回型ノイズ低減回路を使用することができる。これにより、さらに画質改善された映像信号を生成することができる。なお、上記説明ではハードディスクレコーダ１１６の再生出力に対してランダムノイズ低減がなされる場合につき述べたが、ランダムノイズ低減は、Ｓビデオ入力端子１２８に接続される外部の録画再生装置の再生出力に対しても可能である。３次元ＹＣ分離処理により画質改善した信号を録画終了後、再生時には、３次元ＹＣ分離処理に使用したフレームメモリ１１０と、巡回型ＮＲ回路１１２とで構成されるフレーム巡回型ノイズ低減回路によるランダムノイズ低減効果により、低域から高域まで十分な範囲のノイズが低減されるため、クロクカラー妨害やドット妨害が発生しないだけでなく、ランダムノイズが十分に抑圧された映像信号を表示部に表示することができる。
【００３０】
上記実施例構成によれば、１系統の画質改善回路しか有しない構成であっても、画質改善された状態で視聴したい、画質改善された状態で録画したい、ランダムノイズを低減したいなどの要望に応じた条件で視聴や録画や再生を行うことが可能となる。また、Ｓビデオ出力端子１２９からは、上記の画質改善された輝度信号と色信号とを出力することができるため、本実施例のテレビジョン受信機を他の映像表示装置や録画機器に接続した場合にも、画質改善された映像信号での表示や録画が可能となる。
【００３１】
図６及び図７は、第１のチューナ１０２による放送番組とハードディスクレコーダ１１６の再生映像とを２画面表示する場合の説明図である。以下、モード１０とモード１１における切換え回路の切換処理の形態例につき説明する。本説明では、説明の便宜上、第１のチューナ１０２の放送番組映像を画面左側に表示し、ハードディスクレコーダ１１６の再生映像を画面右側に表示して、スピーカーから出力する音声をハードディスクレコーダ１１６の再生音声から第１のチューナの放送番組音声に切換える動作につき述べる。
【００３２】
モード１０では、第１のチューナ１０２で受信選局した放送番組の映像信号は、ゴースト低減処理と２次元ＹＣ分離処理がなされた状態で、また、ハードディスクレコーダ１１６による再生信号はランダムノイズが低減された状態で、それぞれ表示部１２２に２画面表示される。モード１１では、第１のチューナ１０２で受信選局した放送番組の映像信号は、ゴースト低減処理と３次元ＹＣ分離処理がなされた状態で、また、ハードディスクレコーダ１１６による再生信号はそのまま出力されて、それぞれ表示部１２２に２画面表示される。スピーカーからは、モード１０ではハードディスクレコーダ１１６の再生音声信号による音声が出力され、モード１１ではその逆で、第１のチューナ１０２で受信選局した放送番組の音声信号による音声が出力される。
【００３３】
ハードディスクレコーダ１１６による再生音声信号の音声をＲスピーカー１２６とＬスピーカー１２７より出力する場合には、各切換え回路は図６に示すモード１０のように設定される。つまり、図６中の設定８のように各切換え回路の入力端子が切換えられると、切換え回路１０４は入力端子Ａ側に切換えられるため、第１のチューナ１０２で受信された放送番組の複合映像・音声信号は、ゴースト低減回路１０５に入力されてゴースト低減される。さらに、切換え回路１０７は入力端子Ａ側に、切換え回路１００２は入力端子Ｂ側に切換えられるため、該複合映像・音声信号は、２次元ＹＣ分離回路１１３に入力されて２次元ＹＣ分離処理がなされる。２次元ＹＣ分離回路１１３から出力される輝度信号及び色信号により表示部１２２の画面左側に表示を行うために、切換え回路１００３が入力端子Ｂ側に、切換え回路１１８が入力端子Ａ側に切換えられる。該輝度信号及び色信号は、切換え回路１００３、切換え回路１１８を経て映像表示処理回路１２０の一方の信号処理系に入力され、図７（ａ）のように、表示部１２２の画面左側に第１のチューナ１０２の放送番組映像７０１が表示される。音声信号は切換え回路１２３の入力端子Ａ側に入力される。ハードディスクレコーダ１１６から再生される再生輝度・色・音声信号は、切換え回路１１１と切換え回路１０９とがともに入力端子Ｂ側に切換えられるため、巡回型ＮＲ回路１１２とフレームメモリ１１０から成る巡回型ノイズ低減回路を経てランダムノイズが低減される。ランダムノイズが低減されたハードディスクレコーダ１１６の再生輝度・色・音声信号は、切換え回路１１７が入力端子Ｂ側に、切換え回路１１９が入力端子Ａ側に切換えられるため、切換え回路１１７、切換え回路１１９を経て伝送され、このうち輝度信号と色信号は映像表示処理回路１２０のもう一方の信号処理系に入力され、図７（ａ）のように表示部１２２の画面右側に再生映像７０２が表示される。音声信号は切換え回路１２３の入力端子Ｂ側に入力される。モード１０では、音声の切換え回路１２３は入力端子Ｂ側に切換えられるため、音声としてはハードディスクレコーダ１１６で再生された音声信号による音声が出力される。なお、図７（ａ）に示すように、例えば、放送番組映像７０１と再生映像７０２とを２画面表示している場合には、音声を出力する方の映像の画面に♪の記号を付すものとする。
【００３４】
放送番組映像の音声信号による音声をＲスピーカー１２６とＬスピーカー１２７とから出力する場合には、図６に示すモード１１のように設定される。つまり、図６中のモード１１における設定９のように各切換え回路の入力端子が切換えられると、第１のチューナ１０２で受信された放送番組の複合映像・音声信号は、モード１０の場合と同様に、ゴースト低減されるが、モード１１では、切換え回路１０６が入力端子Ｂ側に、切換え回路１００１が入力端子Ａ側に、切換え回路１０９が入力端子Ａ側に切換えられるため、該第１のチューナ１０２で受信された放送番組の複合映像・音声信号は、３次元ＹＣ分離回路１０８に入力され、３次元ＹＣ分離処理が行われる。３次元ＹＣ分離回路１０８から出力された輝度・色・音声信号は、切換え回路１１４と切換え回路１００３とがともに入力端子Ａ側に切換えられるため、切換え回路１１８を経て伝送され、このうち輝度信号と色信号は映像表示処理回路１２０の一方の信号処理系に入力され、図７（ｂ）のように表示部１２２の画面左側に放送番組映像７０３が表示される。また、音声信号は切換え回路１２３の入力端子Ａ側に入力される。
【００３５】
ハードディスクレコーダ１１６で再生された再生輝度・色・音声信号は、切換え回路１１７と切換え回路１１９とでともに入力端子Ａが選択されるため、切換え回路１１７、切換え回路１１９を経て伝送され、このうち輝度信号と色信号は映像表示処理回路１２０のもう一方の信号処理系に直接入力され、図７（ｂ）のように表示部１２２の画面右側に再生映像７０４が表示される。また、音声信号は切換え回路１２３の入力端子Ｂ側に入力される。モード１１では音声の切換え回路１２３は入力端子Ａに切換えられるため、音声としては放送番組音声が出力される。この場合は、ハードディスクレコーダ１１６の再生映像信号はランダムノイズは低減されない。音声を出して視聴する方の映像はゴースト低減処理と３次元ＹＣ分離処理がなされて画質改善された放送番組映像である。
以上のように放送番組映像とハードディスクレコーダ１１６の再生映像との２画面表示の場合は、リモコン１３０により、左右の画面のうち音声を出力する方の映像、つまり主に番組を視聴する方の映像を画質改善して表示部１２２に表示することができる。
【００３６】
図８及び図９は、第１のチューナ１０２及び第２のチューナ１０２で受信した放送番組の映像信号を２画面表示する場合の説明図である。以下、モード１２とモード１３における切換え回路の切換処理の形態例につき述べる。本説明では、説明の便宜上、第１のチューナ１０２の放送番組映像を表示部１２２の画面左側に表示し、第２のチューナ１０３の放送番組映像を画面右側に表示し、スピーカーから出力する音声を第１のチューナ１０２の放送番組音声から第２のチューナ１０３の放送番組音声に切り換える動作につき述べる。
【００３７】
モード１２では、第１のチューナ１０２で受信選局した放送番組の映像信号に対しては、モード１１の場合と同様、ゴースト低減処理と３次元ＹＣ分離処理がなされ、第２のチューナ１０３で受信選局した放送番組の映像信号に対しては２次元ＹＣ分離処理がなされ、表示部１２２に２画面表示される。モード１３では、その逆の画質設定がなされる。スピーカーからは、モード１２では、モード１１の場合と同様に第１のチューナ１０２で受信選局した放送番組の音声信号による音声が、モード１３ではその逆で、第２のチューナ１０３で受信選局した放送番組の音声信号による音声が出力される。
モード１２では、第１のチューナ１０２にて受信された放送番組の複合映像・音声信号の流れはモード１１の場合と同様である。図８のモード１２に示す設定１０のように、各切換え回路の入力端子が切換えられると、第１のチューナ１０２にて受信された放送番組の複合映像・音声信号は、切換え回路１０４（入力端子Ａ側）、ゴースト低減回路１０５、切換え回路１０６（入力端子Ｂ側）、切換え回路１００１（入力端子Ａ側）、３次元ＹＣ分離回路１０８を経て、ゴースト低減処理と３次元ＹＣ分離処理とが行われて画質改善され、さらに、切換え回路１１４（入力端子Ａ側）、切換え回路１００３（入力端子Ａ側）、切換え回路１１８（入力端子Ａ側）を経て、輝度信号及び色信号は映像表示処理回路１２０の一方の信号処理系に入力され、図９（ａ）のように表示部１２２の画面左側に第１のチューナの放送番組映像９０１が表示される。音声信号は切換え回路１２３の入力端子Ａ側に入力される。また、第２のチューナ１０３にて受信された放送番組の複合映像・音声信号は、切換え回路１０７が入力端子Ｂ側に、切換え回路１００２が入力端子Ｂ側に切換えられるため、２次元ＹＣ分離回路１１３に入力されて２次元ＹＣ分離処理が行われる。２次元ＹＣ分離回路１１３から出力される輝度・色・音声信号は、切換え回路１００４が入力端子Ｂ側に、切換え回路１１９が入力端子Ｂ側に切換えられるため、切換え回路１００４、切換え回路１１９を通り、そのうち輝度信号及び色信号は映像表示処理回路１２０のもう一方の信号処理系に入力され、図９（ａ）のように表示部１２２の画面右側に第２のチューナの放送番組映像９０２が表示される。音声信号は切換え回路１２３の入力端子Ｂ側に入力される。モード１２では音声の切換え回路１２３は入力端子Ａ側に切換えられるため、音声としては第１のチューナの放送番組音声が出力される。
【００３８】
図８のモード１３に示す設定９のように各切換え回路の端子接続が切換えられると、切換え回路１０４と切換え回路１００１とがともに入力端子Ｂ側に切換えられ、切換え回路１０６と切換え回路１００２とがともに入力端子Ａ側に切換えられるため、第１のチューナ１０２にて受信された放送番組の複合映像・音声信号は、２次元ＹＣ分離回路１１３に入力されて２次元ＹＣ分離処理される。表示部１２２の画面左側に表示させるために、切換え回路１００３は入力端子Ｂ側に、切換え回路１００４は入力端子Ａ側に切換えられる。このため、２次元ＹＣ分離回路１１３から出力された輝度・色・音声信号は切換え回路１００３、切換え回路１１８を経て伝送され、このうち、輝度信号と色信号は映像表示処理回路１２０の一方の信号処理系に入力され、図９（ｂ）のように表示部１２２の画面左側に第１のチューナの放送番組映像９０３が表示される。音声信号は切換え回路１２３の入力端子Ａ側に入力される。また、第２のチューナ１０３にて受信された放送番組の複合映像・音声信号は、切換え回路１０４が入力端子Ｂ側に切換えられるため、ゴースト低減回路１０５に入力されてゴースト低減される。切換え回路１０６と切換え回路１０７がともに入力端子Ａ側に切換えられ、切換え回路１００１が入力端子Ｂ側に切換えられ、切換え回路１００２が入力端子Ａ側に切換えられるため、ゴースト低減回路１０５から出力される複合映像・音声信号は３次元ＹＣ分離回路１０８に入力されて３次元ＹＣ分離処理される。３次元ＹＣ分離回路１０８から出力された輝度・色・音声信号は、切換え回路１１４、切換え回路１００４、及び切換え回路１１９を経て伝送され、このうち輝度信号と色信号は、映像表示処理回路１２０のもう一方の信号処理系に入力され、表示部１２２の画面右側に第２のチューナの放送番組映像９０４が表示される。また、音声信号は切換え回路１２３の入力端子Ｂ側に入力される。モード１３では、音声信号の切換え回路１２３は入力端子Ｂ側に切換えられるため、音声としては第２のチューナで選局された放送番組の音声信号による音声が出力される。
【００３９】
上記実施例構成によれば、例えばＨＤＤのような録画再生装置を備えたテレビジョン受信機において、１系統の画質改善回路しか備えていなくとも、各切換え回路をマイコン１３２より制御して切換えることにより、ユーザの要望に応じた画質で視聴や録画や再生を行うことができる。
なお、画質改善手段は、例えば輪郭補正手段など他の手段を含んで構成されてもよい。
【００４０】
【発明の効果】
本発明によれば、例えば１系統の画質改善回路しか備えていなくとも、画質改善した映像信号で視聴や録画や再生が可能なテレビジョン受信機を提供することができる。
【図面の簡単な説明】
【図１】本発明の実施例としてのテレビジョン受信機の構成例を示す図である。
【図２】図１の構成において裏番組を録画する場合としない場合の動作例のフローを示す図である。
【図３】各モードの動作を行わせる場合における各切換え回路の端子接続の説明図である。
【図４】再生映像信号からランダムノイズを低減する場合の各切換え回路の端子接続の説明図である。
【図５】放送中の映像の画面から再生映像の画面に切換える場合の説明図である。
【図６】放送中の映像と再生映像とに基づき２画面表示する場合における各切換え回路の端子接続の説明図である。
【図７】図６の場合の画面表示例を示す図である。
【図８】放送中の２つの映像を２画面表示する場合における各切換え回路の端子接続の説明図である。
【図９】図８の場合の画面表示例を示す図である。
【符号の説明】
１０１…アンテナ、  １０２…第１のチューナ、  １０３…第２のチューナ、１０４、１０６、１０７、１００１、１００２、１０９、１１１、１１４、１１５、１００３、１００４、１１７、１１８、１１９、１２３…切換え回路、  １０５…ゴースト低減回路、  １０８…３次元ＹＣ分離回路、  １１０…フレームメモリ、  １１２…巡回型ＮＲ回路、  １１３…２次元ＹＣ分離回路、  １１６…ハードディスクレコーダ、  １２０…映像表示処理装置、  １２２…表示部、  １２４…音声処理回路、  １３０…リモコン、  １３１…リモコン受光部、１３２…マイコン。
【図１】
2004201225.tif 000003
【図２】
2004201225.tif 000004
【図３】
2004201225.tif 000005
【図４】
2004201225.tif 000006
【図５】
2004201225.tif 000007
【図６】
2004201225.tif 000008
【図７】
2004201225.tif 000009
【図８】
2004201225.tif 000010
【図９】
2004201225.tif 000011